(57)【要約】【課題】本発明は、大気構成成分を用いた絶縁性気体でも漏洩を検出可能とした電気機器絶縁装置を提供することにある。【解決手段】本発明は、気密容器（２〜５）内に大気構成成分からなる絶縁性気体を充填した電気機器絶縁装置（１）において、前記絶縁性気体に漏洩検出用気体を混入したのである。【選択図】  図１
2004336861.tif 000002
【特許請求の範囲】
【請求項１】
通電部分を収納した気密容器内に大気構成成分からなる絶縁性気体を充填した電気機器絶縁装置において、前記絶縁性気体に漏洩検出用気体を混入したことを特徴とする電気機器絶縁装置。
【請求項２】
通電部分を収納した気密容器内に大気構成成分からなる絶縁性気体を充填した電気機器絶縁装置において、前記絶縁性気体に、大気構成成分の少なくとも一種で大気構成比以上にした漏洩検出用気体を混入したことを特徴とする電気機器絶縁装置。
【請求項３】
前記漏洩検出用気体は不活性気体を含んでいることを特徴とする請求項１又は２記載の電気機器絶縁装置。
【請求項４】
前記漏洩検出用気体は、大気構成成分以外の気体であることを特徴とする請求項１記載の電気機器絶縁装置。
【請求項５】
前記漏洩検出用気体は、臭気性気体であることを特徴とする請求項１記載の電気機器絶縁装置。
【請求項６】
通電部分を収納した気密容器内に絶縁性気体として窒素ガス充填した電気機器絶縁装置において、前記窒素ガスに漏洩検出用気体として六フッ化硫黄ガスを１〜２０％混入したことを特徴とする電気機器絶縁装置。
【発明の詳細な説明】
【０００１】
【発明の属する技術分野】
本発明は、通電部分を収納した気密容器内に絶縁性気体を充填した電気機器絶縁装置に係り、特に、絶縁性気体として大気構成成分を用いた電気機器絶縁装置に関する。
【０００２】
【従来の技術】
一般に、通電部分を収納した気密容器内に絶縁性気体を充填した電気機器絶縁装置には、大気に存在しない六フッ化硫黄ガスが用いられている。しかし、六フッ化硫黄ガスは、温暖化係数が二酸化炭素の二万倍以上あることから、近年、六フッ化硫黄ガスに代え、例えば技術文献１等に記載のように、大気中に放出されても環境に悪影響を与えることがない大気構成成分を用いた絶縁性気体が研究されている。
【０００３】
【非特許文献１】
平成１２年電気学会全国大会６−２２５「Ｎ２／Ｏ２混合ガス中における不平等電界下の交流絶縁破壊特性」
【０００４】
【発明が解決しようとする課題】
絶縁性気体として大気構成成分を用いることにより、環境に悪影響を与えることはなくなる。しかし、例えば、通電部分を収納した気密容器の継ぎ目等に僅かな欠陥があり、圧力計では判別できない微量な絶縁性気体の漏洩が生じた場合、漏洩した絶縁性気体が大気構成成分であるので、検出が困難となる問題がある。特に、電気機器絶縁装置の工場出荷前の検査で、前記気密容器に僅かな欠陥による絶縁性気体の漏洩を検出しなければ、据付け後に封入絶縁性気体の圧力変化があっても、漏洩個所を特定することは極めて困難である。
【０００５】
本発明の目的は、大気構成成分を用いた絶縁性気体でも漏洩を検出可能とした電気機器絶縁装置を提供することにある。
【０００６】
【課題を解決するための手段】
本発明は上記目的を達成するために、気密容器内に大気構成成分からなる絶縁性気体を充填した電気機器絶縁装置において、前記絶縁性気体に漏洩検出用気体を混入したのである。
【０００７】
絶縁性気体に漏洩検出用気体を混入したことにより、絶縁性気体の主たる気体成分が大気構成成分であっても、大気構成成分と共に漏洩した漏洩検出用気体を検出することにより、工場出荷前の検査で容易に漏洩個所を特定することができる。
【０００８】
【発明の実施の形態】
以下本発明による電気機器絶縁装置の一実施の形態を図１及び図２に示す電力用開閉装置について説明する。
【０００９】
電力用開閉装置の一部を構成する遮断器ユニット１は、第１の気密容器２と、この第１の気密容器２の一方側に隣接して配置された第２の気密容器３と、前記第１の気密容器２の他方側に隣接して配置された第３の気密容器４及び第４の気密容器５とを有している。
【００１０】
前記第１の気密容器２と第２の気密容器３とは、例えば、第１の気密容器２に設けられ端部にフランジ６を有する連結部７と、第２の気密容器３に設けられ端部にフランジ８を有する連結部９とによって連結されている。即ち、両連結部７，９のフランジ６，８を、パッキング１０を介して付き合わせ、ボルト・ナット１１等の周知の締結手段によって締結し、パッキング１０を圧縮させて気密を確保している。
【００１１】
また、前記第１の気密容器２と第３の気密容器４及び第４の気密容器５も、同様に構成された連結部１２，１３によって連結されている。
【００１２】
前記第１の気密容器２は、地盤１４に固定されたベース１５上に接地した遮断器の操作機構（図示せず）を収納した操作機構収納体１６上に支持されている。
【００１３】
そして第１の気密容器２内には、前記操作機構収納体１６内の操作機構によって操作される遮断器１７が収納され、第２の気密容器３内には、複数の断路器１８や避雷器１９が収納され、さらにケーブルヘッド２０が貫通して設置されている。さらに、第３の気密容器４及び第４の気密容器５内には、断路器２１，２２及び複数の導体２３，２４が収納されている。
【００１４】
このように収納された各機器間は、通電部分となる複数の導体２５〜３０によって電気的に接続されている。
【００１５】
以上のように構成された遮断器ユニット１の第１〜第４の気密容器２〜５内には、漏洩検出用気体を混入した絶縁性気体が大気圧以上の封入圧力で充填されている。
【００１６】
この絶縁性気体は、大気構成成分を主たる成分とし、従たる気体成分として大気に極僅かに含まれている気体を漏洩検出用気体として、大気に含まれている割合以上に混入している。
【００１７】
そして、工場出荷前に、電力用開閉装置を、例えば遮断器ユニット１のように、各ユニット毎に分離して密封し、各気密容器２〜５の連結部や溶接部に、成分量を検出する漏洩気体検出器３１を近づけ、絶縁性気体の漏洩を検出する。例えば、図１に示すように、仮に、パッキング１０が正常に圧縮されずに両フランジ６，８間に極僅かな隙間が発生した場合、そこから漏洩気体ＬＧが流出する。そして、そこに近づけた漏洩気体検出器３１は漏洩気体ＬＧの中に大気中では存在し得ない量の漏洩検出用気体を検出する。したがって、遮断器ユニット１における絶縁性気体の漏洩場所を特定することができる。
【００１８】
このように、絶縁性気体の主たる成分は大気を構成する成分であるので、仮に気密容器２〜５から漏洩しても環境に悪影響を与えることがなく、かつ漏洩検出用気体も大気構成成分を用いているので、同様に環境に対して悪影響を与えることはない。
【００１９】
ところで、漏洩検出用気体として用いる大気に極僅かに含まれている気体は、ヘリウム，ネオン，アルゴン等の不活性気体が存在する。これら不活性気体は、科学的に安定しており、特に人体に悪影響を与えることなく安全である。例えば、ヘリウムを漏洩検出用気体として用いる場合には、ヘリウム自体、大気中に極少量含まれているので、それよりも多目に１％前後、絶縁性気体に混入すれば検出が可能である。他方、ネオンやアルゴンは、大気中に０．００２〜１％含まれているので、大気中に含まれたネオンやアルゴンと区別するために、１０％程度混入すればよい。
【００２０】
また、漏洩検出用気体として、臭気性気体を用いてもよい。臭気の強い臭気性気体を用いた場合、漏洩気体検出器３１は必ずしも必要とせず、点検者の嗅覚によっても漏洩を検出することができるが、漏洩気体検出器３１を用いて正確に臭気を検出することが望ましい。
【００２１】
ところで、上記実施の形態においては、漏洩検出用気体として大気を構成する成分を用いたが、大気に存在しない気体、例えば、六フッ化硫黄ガスを用いてもよい。
【００２２】
さらに、絶縁性気体の主たる成分を大気構成成分としたが、大気構成成分とは大気そのものでも、大気構成成分である例えば、窒素，酸素，水素，二酸化炭素を夫々単独で用いても良く、混合して用いてもよい。
【００２３】
このほか、絶縁性気体に混入する漏洩検出用気体が、絶縁機能が低い気体である場合には、１０％を限度として混入すれば、使用できる絶縁性気体の主たる気体成分の絶縁機能を低下させることなく、主たる気体成分や従たる気体成分を自由に選択することができる。また、漏洩検出用気体として絶縁機能を有する六フッ化硫黄ガスを用いる場合には、１〜２０％程度混入することで、環境を悪化させることなく、電力用開閉装置として高い絶縁性能を維持することができる。
【００２４】
因みに、電力用開閉器の絶縁性気体として、窒素ガスを８０〜９５％と六フッ化硫黄ガスを２０〜５パーセントの混合気体とした場合、漏洩検出が容易で、しかも六フッ化硫黄ガス単独で用いた場合に匹敵する電力開閉装置を得ることができた。
【００２５】
【発明の効果】
以上説明したように本発明によれば、大気構成成分を用いた絶縁性気体でも漏洩を検出可能とした電気機器絶縁装置を得ることができる。
【図面の簡単な説明】
【図１】本発明による電気機器絶縁装置の漏洩気体の検出状態を示す一部縦断面図。
【図２】本発明による電気機器絶縁装置として電力開閉装置の遮断器ユニットを示す一部破断側面図。
【符号の説明】
１…遮断器ユニット、２〜５…第１〜第４の気密容器、３１…漏洩気体検出器。
【図１】
2004336861.tif 000003
【図２】
2004336861.tif 000004